(57)【要約】【課題】  利用者を煩わせることなく災害報知情報を受信した場合に適切な動作を実行することができる災害時動作制御システム、災害時動作制御サーバ及び端末装置を提供する。【解決手段】  本発明に係るホームサーバ１００は、災害報知情報の受信に対応して端末装置（例えば、ファンヒータ２００）が実行すべき動作を示す動作情報を端末装置から受信し、受信した動作情報を記憶する。また、ホームサーバ１００は、災害報知情報を災害報知情報送信装置２０から受信した場合、記憶されている動作情報に基づいて、端末装置を動作させる制御情報を生成して送信する。【選択図】  図１
2006301802.tif 000002
【特許請求の範囲】
【請求項１】
ホームネットワークに接続され、制御情報にしたがって動作する端末装置と、災害の発生または発生のおそれがあることを示す災害報知情報を受信した場合に前記端末装置に前記制御情報を送信する災害時動作制御サーバとを含む災害時動作制御システムであって、
前記端末装置は、
前記災害時動作制御サーバによる前記災害報知情報の受信に対応して前記端末装置が実行すべき動作を示す動作情報を送信する動作情報送信部を備え、
前記災害時動作制御サーバは、
前記端末装置によって送信された前記動作情報を受信する動作情報受信部と、
前記動作情報受信部が受信した前記動作情報を記憶する動作情報記憶部と、
前記災害報知情報を受信する災害報知情報受信部と、
前記災害報知情報受信部が前記災害報知情報を受信した場合、前記動作情報記憶部に記憶されている前記動作情報に基づいて、前記制御情報を生成して送信する制御情報生成送信部と
を備える災害時動作制御システム。
【請求項２】
前記動作情報送信部は、前記災害の大きさのレベルを示す災害レベルが付加された前記動作情報である災害レベル付き動作情報を送信し、
前記災害報知情報受信部は、前記災害レベルを含む前記災害報知情報を受信し、
前記制御情報生成送信部は、前記災害報知情報に含まれている前記災害レベル及び前記災害レベル付き動作情報に基づいて、前記制御情報を生成する請求項１に記載の災害時動作制御システム。
【請求項３】
前記災害時動作制御システムは、前記端末装置が設置されている周囲状態を判定する周囲状態判定部をさらに備え、
前記動作情報送信部は、前記周囲状態に応じた前記端末装置の動作条件が付加された前記動作情報である動作条件付き動作情報を送信し、
前記制御情報生成送信部は、前記動作条件付き動作情報に含まれている前記動作条件及び前記周囲状態判定部によって判定された前記周囲状態に基づいて、前記制御情報を生成する請求項１に記載の災害時動作制御システム。
【請求項４】
前記動作情報送信部は、前記端末装置が前記ホームネットワークに接続され、前記災害時動作制御サーバとの通信が可能となった際に、前記動作情報を送信する請求項１乃至３の何れか一項に記載の災害時動作制御システム。
【請求項５】
前記制御情報生成送信部は、前記災害報知情報受信部が前記災害報知情報を受信してから所定時間を経過したときに前記制御情報を送信する請求項１乃至４の何れか一項に記載の災害時動作制御システム。
【請求項６】
ホームネットワークに接続され、制御情報にしたがって動作する端末装置に対して、災害の発生または発生のおそれがあることを示す災害報知情報を受信した場合に前記制御情報を送信する災害時動作制御サーバであって、
前記災害時動作制御サーバによる前記災害報知情報の受信に対応して前記端末装置が実行すべき動作を示す動作情報を前記端末装置から受信する動作情報受信部と、
前記動作情報受信部が受信した前記動作情報を記憶する動作情報記憶部と、
前記災害報知情報を受信する災害報知情報受信部と、
前記災害報知情報受信部が前記災害報知情報を受信した場合、前記動作情報記憶部に記憶されている前記動作情報に基づいて、前記制御情報を生成して送信する制御情報生成送信部と
を備える災害時動作制御サーバ。
【請求項７】
前記災害報知情報受信部は、前記災害の大きさのレベルを示す災害レベルを含む前記災害報知情報を受信し、
前記制御情報生成送信部は、前記災害報知情報に含まれている前記災害レベル、及び前記災害レベルが付加された前記動作情報である災害レベル付き動作情報に基づいて、前記制御情報を生成する請求項６に記載の災害時動作制御サーバ。
【請求項８】
前記制御情報生成送信部は、前記端末装置が設置されている周囲状態に応じた前記端末装置の動作条件が付加された前記動作情報である動作条件付き動作情報、及び前記周囲状態判定部によって判定された前記周囲状態に基づいて、前記制御情報を生成する請求項６に記載の災害時動作制御サーバ。
【請求項９】
ホームネットワークに接続され、災害時動作制御サーバによって送信される制御情報にしたがって動作する端末装置であって、
災害の発生または発生のおそれがあることを示す災害報知情報の前記災害時動作制御サーバによる受信に対応して前記端末装置が実行すべき動作を示す動作情報を送信する動作情報送信部を備える端末装置。
【請求項１０】
前記動作情報送信部は、前記災害の大きさのレベルを示す災害レベルが付加された前記動作情報である災害レベル付き動作情報を送信する請求項９に記載の端末装置。
【請求項１１】
前記動作情報送信部は、前記端末装置が設置されている周囲状態に応じた前記端末装置の動作条件が付加された前記動作情報である動作条件付き動作情報を送信する請求項９に記載の端末装置。
【請求項１２】
前記動作情報送信部は、前記端末装置が前記ホームネットワークに接続され、前記災害時動作制御サーバとの通信が可能となった際に、前記動作情報を送信する請求項９乃至１１の何れか一項に記載の端末装置。
【発明の詳細な説明】
【技術分野】
【０００１】
本発明は、災害の発生時などに、住宅などの建物内に設置されている端末装置の動作を制御する災害時動作制御システム、災害時動作制御サーバ及び当該災害時動作制御システムにおいて用いられる端末装置に関する。
【背景技術】
【０００２】
従来、地震などの災害の発生または発生のおそれがあることを示す“災害報知情報”が所定の災害報知機関（例えば、気象庁）によって発信された場合、放送網を介して当該災害報知情報を受信し、住宅などの建物内に引き込まれているライフラインによって供給される供給媒体（例えば、ガス）の提供を遮断する方法が知られている（例えば、特許文献１）。
【０００３】
また、近年では、いわゆる情報技術（ＩＴ）の進展に伴って、住宅などの建物内をカバーする通信ネットワーク（いわゆるホームネットワーク）に、当該建物内に設置されている照明装置や空調装置など（以下、“端末装置”と適宜省略する）を接続し、当該端末装置を遠隔制御することが可能となってきている。
【特許文献１】特開２００４−１８００４８号公報（第８−１０頁、第５図）
【発明の開示】
【発明が解決しようとする課題】
【０００４】
上述したホームネットワークに接続される端末装置が増えるにしたがって、地震などの災害発生時に当該端末装置を遠隔制御（例えば、照明装置の点灯や空調装置の運転停止）し、火災などの二次的災害を未然に防ぐことが強く望まれるようになっている。
【０００５】
しかしながら、災害報知情報を受信した場合にホームネットワークに接続されている端末装置が実行すべき動作は、端末装置の種類などに応じて異なる。このため、災害報知情報を受信した場合に実行すべき動作を、利用者が当該端末装置のそれぞれに設定することは、とても面倒である。
【０００６】
そこで、本発明は、このような状況に鑑みてなされたものであり、利用者を煩わせることなく災害報知情報を受信した場合に適切な動作を実行することができる災害時動作制御システム、災害時動作制御サーバ及び端末装置を提供することを目的とする。
【課題を解決するための手段】
【０００７】
上述した問題を解決するため、本発明は、次のような特徴を有している。まず、本発明の第１の特徴は、ホームネットワーク（ホームネットワーク３５）に接続され、制御情報（動作指示文書ＤＴ２１）にしたがって動作する端末装置（例えば、ファンヒータ２００）と、災害の発生または発生のおそれがあることを示す災害報知情報を受信した場合に前記端末装置に前記制御情報を送信する災害時動作制御サーバ（ホームサーバ１００）とを含む災害時動作制御システムであって、前記端末装置は、前記災害時動作制御サーバによる前記災害報知情報の受信に対応して前記端末装置が実行すべき動作を示す動作情報（例えば、装置情報ＤＴ１１）を送信する動作情報送信部（例えば、通信ＩＦ部２０１及び制御部２０３）を備え、前記災害時動作制御サーバは、前記端末装置によって送信された前記動作情報を受信する動作情報受信部（通信ＩＦ部１０１及び動作情報リスト生成部１０５）と、前記動作情報受信部が受信した前記動作情報を記憶する動作情報記憶部（記憶部１０９）と、前記災害報知情報を受信する災害報知情報受信部（通信ＩＦ部１０１及び災害報知情報処理部１０３）と、前記災害報知情報受信部が前記災害報知情報を受信した場合、前記動作情報記憶部に記憶されている前記動作情報に基づいて、前記制御情報を生成して送信する制御情報生成送信部（通信ＩＦ部１０１及び動作指示文書生成部１０７）とを備えることを要旨とする。
【０００８】
このような特徴によれば、端末装置によって送信された動作情報が、災害時動作制御サーバに記憶される。さらに、災害時動作制御サーバが、地震などの災害の発生または発生のおそれがあることを示す災害報知情報を災害報知機関（例えば、気象庁）から受信した場合、災害時動作制御サーバに記憶されている動作情報に基づいて、端末装置に所定の動作を実行させる制御情報が自動的に端末装置に送信される。
【０００９】
このため、端末装置の利用者を煩わせることなく、災害報知情報を受信した場合に適切な動作を端末装置に実行させることができる。つまり、このような特徴によれば、地震などの災害発生時などに、火災などの二次的災害を防止したり、端末装置が設置されている住宅などの居住者の避難経路を確保したりすることが可能となる。
【００１０】
本発明の第２の特徴は、本発明の第１の特徴に係り、前記動作情報送信部は、前記災害の大きさのレベルを示す災害レベルが付加された前記動作情報である災害レベル付き動作情報を送信し、前記災害報知情報受信部は、前記災害レベルを含む前記災害報知情報を受信し、前記制御情報生成送信部は、前記災害報知情報に含まれている前記災害レベル及び前記災害レベル付き動作情報に基づいて、前記制御情報を生成することを要旨とする。
【００１１】
本発明の第３の特徴は、本発明の第１の特徴に係り、前記災害時動作制御システムは、前記端末装置が設置されている周囲状態を判定する周囲状態判定部（センサー装置８００及び動作指示文書生成部１０７）をさらに備え、前記動作情報送信部は、前記周囲状態に応じた前記端末装置の動作条件が付加された前記動作情報である動作条件付き動作情報を送信し、前記制御情報生成送信部は、前記動作条件付き動作情報に含まれている前記動作条件及び前記周囲状態判定部によって判定された前記周囲状態に基づいて、前記制御情報を生成することを要旨とする。
【００１２】
本発明の第４の特徴は、本発明の第１乃至第３の特徴に係り、前記動作情報送信部は、前記端末装置が前記ホームネットワークに接続され、前記災害時動作制御サーバとの通信が可能となった際に、前記動作情報を送信することを要旨とする。
【００１３】
本発明の第５の特徴は、本発明の第１乃至第４の特徴に係り、前記制御情報生成送信部は、前記災害報知情報受信部が前記災害報知情報を受信してから所定時間を経過したときに前記制御情報を送信することを要旨とする。
【００１４】
本発明の第６の特徴は、ホームネットワークに接続され、制御情報にしたがって動作する端末装置に対して、災害の発生または発生のおそれがあることを示す災害報知情報を受信した場合に前記制御情報を送信する災害時動作制御サーバであって、前記災害時動作制御サーバによる前記災害報知情報の受信に対応して前記端末装置が実行すべき動作を示す動作情報を前記端末装置から受信する動作情報受信部と、前記動作情報受信部が受信した前記動作情報を記憶する動作情報記憶部と、前記災害報知情報を受信する災害報知情報受信部と、前記災害報知情報受信部が前記災害報知情報を受信した場合、前記動作情報記憶部に記憶されている前記動作情報に基づいて、前記制御情報を生成して送信する制御情報生成送信部とを備えることを要旨とする。
【００１５】
本発明の第７の特徴は、本発明の第６の特徴に係り、前記災害報知情報受信部は、前記災害の大きさのレベルを示す災害レベルを含む前記災害報知情報を受信し、
前記制御情報生成送信部は、前記災害報知情報に含まれている前記災害レベル、及び前記災害レベルが付加された前記動作情報である災害レベル付き動作情報に基づいて、前記制御情報を生成することを要旨とする。
【００１６】
本発明の第８の特徴は、本発明の第６の特徴に係り、前記制御情報生成送信部は、前記端末装置が設置されている周囲状態に応じた前記端末装置の動作条件が付加された前記動作情報である動作条件付き動作情報、及び前記周囲状態判定部によって判定された前記周囲状態に基づいて、前記制御情報を生成することを要旨とする。
【００１７】
本発明の第９の特徴は、ホームネットワークに接続され、災害時動作制御サーバによって送信される制御情報にしたがって動作する端末装置であって、災害の発生または発生のおそれがあることを示す災害報知情報の前記災害時動作制御サーバによる受信に対応して前記端末装置が実行すべき動作を示す動作情報を送信する動作情報送信部を備えることを要旨とする。
【００１８】
本発明の第１０の特徴は、本発明の第９の特徴に係り、前記動作情報送信部は、前記災害の大きさのレベルを示す災害レベルが付加された前記動作情報である災害レベル付き動作情報を送信することを要旨とする。
【００１９】
本発明の第１１の特徴は、本発明の第９の特徴に係り、前記動作情報送信部は、前記端末装置が設置されている周囲状態に応じた前記端末装置の動作条件が付加された前記動作情報である動作条件付き動作情報を送信することを要旨とする。
【００２０】
本発明の第１２の特徴は、本発明の第９乃至第１１の特徴に係り、前記動作情報送信部は、前記端末装置が前記ホームネットワークに接続され、前記災害時動作制御サーバとの通信が可能となった際に、前記動作情報を送信することを要旨とする。
【発明の効果】
【００２１】
本発明の特徴によれば、利用者を煩わせることなく災害報知情報を受信した場合に適切な動作を実行することができる災害時動作制御システム、災害時動作制御サーバ及び端末装置を提供することができる。
【発明を実施するための最良の形態】
【００２２】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２３】
したがって、具体的な寸法などは以下の説明を参酌して判断すべきものである。また、図面相互間においても互いの寸法の関係や比率が異なる部分が含まれていることは勿論である。
【００２４】
（災害時動作制御システムの全体概略構成）
図１は、本実施形態に係る災害時動作制御システムの全体概略構成を示している。本実施形態に係る災害時動作制御システムには、ホームネットワーク３５に接続され、動作指示文書ＤＴ２１（図８参照）にしたがって動作する次の端末装置が含まれる。
【００２５】
すなわち、本実施形態に係る災害時動作制御システムには、ファンヒータ２００、ガス給湯器３００、表示装置４００、照明装置５００、電子錠６００及びスピーカ７００（以下、“端末装置”と適宜省略する）が含まれる。
【００２６】
また、本実施形態に係る災害時動作制御システムには、災害の発生または発生のおそれがあることを示す災害報知情報を災害報知機関１０から受信した場合に、当該端末装置に動作指示文書ＤＴ２１を送信するホームサーバ１００（災害時動作制御サーバ）が含まれる。
【００２７】
さらに、本実施形態に係る災害時動作制御システムには、センサー装置８００が含まれる。センサー装置８００は、住宅４０内の照度や人の有無など、上述した端末装置の周囲状態を示す情報をホームサーバ１００に提供する。
【００２８】
上述した端末装置及びホームサーバ１００は、災害による商用電源の停電時に電力を供給するバッテリを具備する配電装置５０に接続されている。
【００２９】
上述した端末装置及びホームサーバ１００は、住宅４０内をカバーするホームネットワーク３５に接続されている。ホームネットワーク３５は、広域ネットワーク３０と接続されている。広域ネットワーク３０としては、公衆電話回線網、専用線または私設ＩＰ網などが用いられる。なお、広域ネットワーク３０としてインターネットを用いても構わない。
【００３０】
災害報知機関１０は、災害の発生を監視する機関（例えば、地震発生の有無を監視する気象庁）である。
【００３１】
災害報知機関１０は、災害の発生または災害の発生のおそれがあることを検知した場合、災害の発生または災害の発生のおそれがあることを示す災害報知情報を災害報知情報送信装置２０から広域ネットワーク３０に向けて送信する。
【００３２】
ホームサーバ１００（災害時動作制御サーバ）は、災害報知情報送信装置２０によって送信された災害報知情報を広域ネットワーク３０及びホームネットワーク３５を介して受信し、受信した災害報知情報の内容に基づいて、ホームネットワーク３５に接続されている端末装置の動作を制御（例えば、ファンヒータ２００の動作停止）する。
【００３３】
（災害時動作制御システムの論理ブロック構成）
次に、本実施形態に係る災害時動作制御システムの論理ブロック構成について説明する。図２は、ホームサーバ１００の論理ブロック構成図である。また、図３は、ファンヒータ２００の論理ブロック構成図である。なお、ガス給湯器３００、表示装置４００、照明装置５００、電子錠６００及びスピーカ７００もファンヒータ２００と同様の論理ブロック構成を有している。
【００３４】
また、以下、本発明との関連がある部分について主に説明する。したがって、各装置の機能を実現する上で必須な、図示しない或いは説明を省略した論理ブロックを備える場合があることに留意されたい。
【００３５】
（１）ホームサーバ
図２に示すように、ホームサーバ１００は、通信ＩＦ部１０１、災害報知情報処理部１０３、動作情報リスト生成部１０５、動作指示文書生成部１０７、記憶部１０９及び電源部１１１を備えている。
【００３６】
通信ＩＦ部１０１は、ホームネットワーク３５と接続するための通信インタフェースを提供する。通信ＩＦ部１０１は、１００ＢＡＳＥ−ＴＸなどの有線ＬＡＮ方式または、ＩＥＥＥ８０２．１１によって規定される無線ＬＡＮ方式を用いて、ホームネットワーク３５に接続する。
【００３７】
災害報知情報処理部１０３は、災害報知情報送信装置２０によって送信された災害報知情報を受信し、受信した災害報知情報の内容を判定する。本実施形態では、通信ＩＦ部１０１と災害報知情報処理部１０３とによって、災害報知情報受信部が構成される。
【００３８】
また、災害報知情報処理部１０３は、災害の大きさのレベル（例えば、地震の震度と対応付けられたレベル）を示す“災害レベル”を含む災害報知情報を受信することができる。
【００３９】
動作情報リスト生成部１０５は、端末装置（例えば、ファンヒータ２００）によって送信された装置情報（例えば、図７（ｄ）に示す装置情報ＤＴ１４）を受信し、受信した装置情報に含まれている“動作情報”の内容に基づいて、端末装置の動作情報リスト（図６参照）を生成する。本実施形態では、通信ＩＦ部１０１と動作情報リスト生成部１０５とによって、動作情報受信部が構成される。
【００４０】
なお、“動作情報”とは、ホームサーバ１００による災害報知情報の受信に対応して端末装置が実行すべき動作を示す情報である。
【００４１】
具体的には、動作情報は、図６及び図７（ａ）〜（ｄ）に示すように、装置識別情報（例えば、ファンヒータ２００を識別するためのアドレス）、動作内容（例えば、運転停止）、災害レベル（例えば、レベル１〜５）、及び動作条件（例えば、人がいる場合に動作）によって構成される。
【００４２】
また、災害レベルや動作条件は、必ずしも動作情報に含まれていなくてもよい。具体的には、図７（ａ）に示す装置情報ＤＴ１１は、装置識別情報と動作内容とによって構成される動作情報を含んでいる。図７（ａ）に示すように、動作情報は、少なくとも装置識別情報と動作内容とによって構成される。
【００４３】
また、図７（ｂ）に示す装置情報ＤＴ１２（災害レベル付き動作情報）、図７（ｃ）に示す装置情報ＤＴ１３（動作条件付き動作情報）、または図７（ｄ）に示す装置情報ＤＴ１４のように、動作情報には、災害レベルや動作条件が含まれてもよい。
【００４４】
なお、装置情報ＤＴ１１〜ＤＴ１４には、上述した動作情報以外の端末装置に関する情報が含まれてもよい。
【００４５】
動作情報リスト生成部１０５によって生成された動作情報リストは、記憶部１０９に記憶される。
【００４６】
動作指示文書生成部１０７は、端末装置に所定の動作を実行させる制御情報を含む動作指示文書ＤＴ２１（図８参照）を生成する。
【００４７】
具体的には、動作指示文書生成部１０７は、災害報知情報処理部１０３が災害報知情報を受信した場合、記憶部１０９に記憶されている動作情報リスト（動作情報）に基づいて、動作指示文書ＤＴ２１を生成する。
【００４８】
さらに、動作指示文書生成部１０７は、通信ＩＦ部１０１を介して、生成した動作指示文書ＤＴ２１を端末装置に送信する。本実施形態では、通信ＩＦ部１０１と動作指示文書生成部１０７とによって、制御情報生成送信部が構成される。
【００４９】
また、動作指示文書生成部１０７は、災害報知情報に含まれている災害レベル、及び装置情報ＤＴ１２，ＤＴ１４（災害レベル付き動作情報）に基づいて、動作指示文書ＤＴ２１を生成することができる。なお、具体的な動作指示文書ＤＴ２１の生成方法については、後述する。
【００５０】
さらに、本実施形態では、上述したように、住宅４０内の照度や人の有無など、端末装置の周囲状態を示す情報をホームサーバ１００に提供するセンサー装置８００がホームネットワーク３５に接続されている。
【００５１】
動作指示文書生成部１０７は、センサー装置８００によって提供される周囲状態を示す情報を取得し、当該情報に基づいて動作指示文書ＤＴ２１に含まれる制御情報の内容、つまり、端末装置に実行させるべき動作内容を決定することができる。
【００５２】
例えば、動作指示文書生成部１０７は、センサー装置８００によって提供される情報に基づいて、住宅４０内の照度が１ルクス以下であることを認識することができる。この状態において、災害報知情報処理部１０３が災害報知情報を受信した場合、動作指示文書生成部１０７は、動作情報リスト（図６参照）に基づいて、照明装置５００を点灯（オン）させる動作内容を決定する。
【００５３】
すなわち、動作指示文書生成部１０７は、装置情報ＤＴ１３，ＤＴ１４（動作条件付き動作情報）に含まれている動作条件、及び端末装置の周囲状態に基づいて、動作指示文書ＤＴ２１を生成する。
【００５４】
本実施形態では、センサー装置８００と動作指示文書生成部１０７とによって、端末装置が設置されている周囲状態を判定する周囲状態判定部が構成される。
【００５５】
また、動作指示文書生成部１０７は、災害報知情報処理部１０３が災害報知情報を受信してから所定時間を経過したときに動作指示文書ＤＴ２１を送信することができる。
【００５６】
記憶部１０９は、動作情報リスト生成部１０５が受信した動作情報を記憶する。本実施形態において、記憶部１０９は、動作情報記憶部を構成する。
【００５７】
電源部１１１は、ホームサーバ１００の動作に必要な電力を供給する。具体的には、電源部１１１は、配電装置５０（図１参照）と接続されており、配電装置５０によって供給される電力を上述した各論理ブロックに供給する。
【００５８】
（２）端末装置
図３に示すように、本実施形態に係る端末装置のひとつであるファンヒータ２００は、通信ＩＦ部２０１、制御部２０３、起動処理部２０５、記憶部２０７及び電源部２０９を備えている。
【００５９】
通信ＩＦ部２０１は、ホームネットワーク３５と接続するための通信インタフェースを提供する。通信ＩＦ部２０１は、１００ＢＡＳＥ−ＴＸなどの有線ＬＡＮ方式または、ＩＥＥＥ８０２．１１によって規定される無線ＬＡＮ方式を用いて、ホームネットワーク３５に接続する。
【００６０】
制御部２０３は、ファンヒータ２００の動作を制御する。特に、本実施形態では、ホームサーバ１００による災害報知情報の受信に対応してファンヒータ２００が実行すべき動作を示す動作情報を含む装置情報ＤＴ１１を送信する。本実施形態では、通信ＩＦ部２０１と制御部２０３とによって、動作情報送信部が構成される。
【００６１】
なお、制御部２０３は、装置情報ＤＴ１２（災害レベル付き動作情報）、装置情報ＤＴ１３（動作条件付き動作情報）、及び装置情報ＤＴ１４を送信することができる。
【００６２】
また、制御部２０３は、ファンヒータ２００がホームネットワーク３５に接続され、ホームサーバ１００との通信が可能となった際に、装置情報ＤＴ１１（またはＤＴ１２〜ＤＴ１４）を送信することができる。
【００６３】
具体的には、制御部２０３は、起動処理部２０５によって出力される起動処理の完了通知に基づいて、ファンヒータ２００の起動処理が完了次第、装置情報ＤＴ１１（またはＤＴ１２〜ＤＴ１４）を送信することができる。
【００６４】
起動処理部２０５は、ファンヒータ２００の電源が投入された場合など、ファンヒータ２００が起動された場合に必要となる処理を実行する。特に、本実施形態では、起動処理部２０５は、ホームネットワーク３５との論理的な接続を含む起動処理が完了した場合、当該起動処理の完了通知を制御部２０３に出力する。
【００６５】
記憶部２０７は、ファンヒータ２００の装置情報（例えば、図７（ａ）に示す装置情報ＤＴ１１）や設定状態などを記憶する。特に、本実施形態では、記憶部２０７は、ホームサーバ１００による災害報知情報の受信に対応してファンヒータ２００が実行すべき動作を示す動作情報が含まれている装置情報を記憶する。
【００６６】
電源部２０９は、ファンヒータ２００の動作に必要な電力を供給する。具体的には、電源部２０９は、配電装置５０（図１参照）と接続されており、配電装置５０によって供給される電力を上述した各論理ブロックに供給する。
【００６７】
（災害時動作制御システムの動作）
次に、上述した本実施形態に係る災害時動作制御システムの動作について説明する。具体的には、（１）端末装置（ファンヒータ２００）とホームサーバ１００との間において、装置情報を送受信する動作、及び（２）ホームサーバ１００が災害報知情報送信装置２０から災害報知情報を受信した場合における動作、について説明する。
【００６８】
（１）装置情報の送受信
図４は、装置情報の送受信の動作を示すフロー図である。図４に示すように、ステップＳ１０において、ファンヒータ２００の電源が投入されることなどによって、起動処理を実行する。ファンヒータ２００が起動処理を実行することによって、ホームネットワーク３５と論理的に接続され、ホームネットワーク３５を介してホームサーバ１００との通信が可能となる。
【００６９】
ステップＳ２０において、ファンヒータ２００は、装置情報（例えば、図７（ｄ）に示す装置情報ＤＴ１４）をホームサーバ１００に送信する。
【００７０】
ステップＳ３０において、ホームサーバ１００は、ファンヒータ２００によって送信された装置情報を受信する。
【００７１】
ステップＳ４０において、ホームサーバ１００は、受信した装置情報（例えば、装置情報ＤＴ１４）に含まれている動作情報（具体的には、装置識別情報及び動作内容）を取得する。
【００７２】
ステップＳ５０において、ホームサーバ１００は、取得した動作情報を記憶部１０９に記憶されている動作情報リスト（図６参照）に追加する。
【００７３】
（２）災害報知情報を受信した場合における動作
図５は、ホームサーバ１００が、災害報知情報送信装置２０から災害報知情報を受信した場合における動作を示すフロー図である。
【００７４】
図５に示すように、ステップＳ１１０において、ホームサーバ１００は、災害報知情報送信装置２０から災害報知情報を受信したか否かを定期的に判定する。
【００７５】
災害報知情報を受信した場合（ステップＳ１１０のＹＥＳ）、ステップＳ１２０において、ホームサーバ１００は、受信した災害報知情報の内容を判定する。
【００７６】
ステップＳ１３０において、ホームサーバ１００は、記憶部１０９に記憶されている動作情報リスト（図６参照）を取得する。
【００７７】
ステップＳ１４０において、ホームサーバ１００は、受信した災害報知情報に含まれている災害レベル（例えば、レベル５）や、センサー装置８００によって提供される端末装置の周囲状態を示す情報に基づいて、端末装置に実行させるべき動作内容を決定する。
【００７８】
ステップＳ１５０において、ホームサーバ１００は、装置識別情報と動作内容とによって構成される制御情報を含む動作指示文書ＤＴ２１（図８参照）を生成する。
【００７９】
具体的には、ホームサーバ１００は、図６に示す動作情報リストに含まれている災害レベル、動作条件及び動作内容に応じて、それぞれの端末装置（ファンヒータ２００、表示装置４００、照明装置５００及び電子錠６００）に送信される動作指示文書ＤＴ２１を生成する。
【００８０】
ステップＳ１６０において、ホームサーバ１００は、生成した動作指示文書ＤＴ２１をファンヒータ２００に送信する。なお、ホームサーバ１００は、他の端末装置（表示装置４００、照明装置５００及び電子錠６００）にも同様に動作指示文書ＤＴ２１を送信する。なお、以下、当該端末装置（表示装置４００、照明装置５００及び電子錠６００）での動作の説明は、ファンヒータ２００と同様であるため、省略する。
【００８１】
ステップＳ１７０において、ファンヒータ２００は、ホームサーバ１００によって送信された動作指示文書ＤＴ２１を受信する。
【００８２】
ステップＳ１８０において、ファンヒータ２００は、受信した動作指示文書ＤＴ２１に含まれる動作内容（運転停止）に応じて、運転を停止する。
【００８３】
なお、他の端末装置（表示装置４００、照明装置５００及び電子錠６００）も受信した動作指示文書ＤＴ２１に含まれる動作内容に応じた動作を実行する。
【００８４】
例えば、ホームサーバ１００が、災害報知情報送信装置２０から受信した災害報知情報に含まれている災害レベルがレベル５であり、かつ住宅４０内の照度が１ルクス以下と判定されている場合、照明装置５００が点灯する。
【００８５】
また、災害レベルがレベル５であり、かつ住宅４０内に人がいる場合、避難経路を確保するため、電子錠６００が開錠状態となる。さらに、表示装置４００には、災害内容（例えば、○○地方において震度６の地震発生。１分３０秒後に揺れ到達）が表示される。
【００８６】
なお、動作情報リスト（図６参照）では表示が省略されているが、ホームサーバ１００は、ガス給湯器３００の運転停止や、災害内容を報知する音声信号をスピーカ７００から出力させることもできる。
【００８７】
（作用・効果）
以上説明した本実施形態に係る災害時動作制御システムによれば、端末装置（例えば、ファンヒータ２００）によって送信された動作情報を含む装置情報（例えば、装置情報ＤＴ１４）が、ホームサーバ１００に記憶される。
【００８８】
さらに、ホームサーバ１００が、地震などの災害の発生または発生のおそれがあることを示す災害報知情報を災害報知情報送信装置２０から受信した場合、ホームサーバ１００に記憶されている動作情報に基づいて、端末装置に所定の動作（例えば、運転停止）を実行させる動作指示文書ＤＴ２１（制御情報）が自動的に端末装置に送信される。
【００８９】
このため、端末装置の利用者を煩わせることなく、災害報知情報を受信した場合に適切な動作を端末装置に実行させることができる。つまり、本実施形態に係る災害時動作制御システムによれば、地震などの災害発生時などに、火災などの二次的災害を防止したり、端末装置が設置されている住宅などの居住者の避難経路を確保したりすることが可能となる。
【００９０】
本実施形態に係る災害時動作制御システムによれば、災害レベルが付加された災害レベル付き動作情報を含む装置情報ＤＴ１２（及び装置情報ＤＴ１４）が送受信されるため、災害レベルに応じた動作（例えば、レベル４以下の場合には動作させない）を端末装置に実行させることができる。
【００９１】
本実施形態に係る災害時動作制御システムによれば、動作条件が付加された動作条件付き動作情報を含む装置情報ＤＴ１３（及び装置情報ＤＴ１４）が送受信されるため、端末装置の周囲状態に応じた動作（例えば、照度１ルクス以上の場合には動作させない）を端末装置に実行させることができる。
【００９２】
本実施形態に係る災害時動作制御システムによれば、端末装置がホームネットワーク３５に接続され、ホームサーバ１００との通信が可能となった際に、当該端末装置から動作情報が送信される。このため、災害の発生時などに端末装置が実行すべき動作を示す動作情報を自動かつ速やかにホームサーバ１００に記憶させることができる。
【００９３】
本実施形態に係る災害時動作制御システムによれば、ホームサーバ１００が災害報知情報送信装置２０から災害報知情報を受信してから所定時間を経過したときに動作指示文書ＤＴ２１（制御情報）を送信することができる。このため、災害の内容、例えば、遠方で発生した地震の揺れが所定時間後に到達する場合、当該所定時間に合わせて端末装置を動作させることができる。
【００９４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９５】
例えば、上述した本発明の実施形態では、端末装置の起動処理のタイミング（図４に示したステップＳ１０及びＳ２０）で動作情報を含む装置情報（例えば、装置情報ＤＴ１４）を送信する形態としたが、当該装置情報は、端末装置の起動処理以外のタイミング、例えば、毎日定刻に送信するようにしてもよい。
【００９６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９７】
【図１】本発明の実施形態に係る災害時動作制御システムの全体概略構成図である。
【図２】本発明の実施形態に係る災害時動作制御サーバの論理ブロック構成図である。
【図３】本発明の実施形態に係る端末装置の論理ブロック構成図である。
【図４】本発明の実施形態に係る災害時動作制御システムの動作フロー図である。
【図５】本発明の実施形態に係る災害時動作制御システムの動作フロー図である。
【図６】本発明の実施形態に係る災害時動作制御サーバに記憶される動作情報リストの一例を示す図である。
【図７】本発明の実施形態に係る災害時動作制御システムにおいて用いられる装置情報の一例を示す図である。
【図８】本発明の実施形態に係る災害時動作制御システムにおいて用いられる動作指示文書の一例を示す図である。
【符号の説明】
【００９８】
１０…災害報知機関、２０…災害報知情報送信装置、３０…広域ネットワーク、３５…ホームネットワーク、４０…住宅、５０…配電装置、１００…ホームサーバ、１０１…通信ＩＦ部、１０３…災害報知情報処理部、１０５…動作情報リスト生成部、１０７…動作指示文書生成部、１０９…記憶部、１１１…電源部、２００…ファンヒータ、２０１…通信ＩＦ部、２０３…制御部、２０５…起動処理部、２０７…記憶部、２０９…電源部、３００…ガス給湯器、４００…表示装置、５００…照明装置、６００…電子錠、７００…スピーカ、８００…センサー装置、ＤＴ１１〜１４…装置情報、ＤＴ２１…動作指示文書
【図１】
2006301802.tif 000003
【図２】
2006301802.tif 000004
【図３】
2006301802.tif 000005
【図４】
2006301802.tif 000006
【図５】
2006301802.tif 000007
【図６】
2006301802.tif 000008
【図７】
2006301802.tif 000009
【図８】
2006301802.tif 000010